(57)【要約】【課題】  テレビの放送をテレビで視聴しつつ、その場面に応じた情報を受信することができる端末装置を提供する。【解決手段】  放送局から配信される放送データを受信して出力する出力装置と端末装置とによって構成されるコンテンツ配信システムにおける端末装置であって、出力装置の出力画面に出力される情報であって放送データに含まれて送信され時間の経過と共に異なる識別情報を取得する識別情報取得部と、識別情報取得部が取得した識別情報から放送データによって放送される内容に関連する情報である関連情報を抽出する関連情報抽出部と、関連情報抽出部が抽出した関連情報を出力する出力部とを有する。【選択図】    図１
2006005897.tif 000002
【特許請求の範囲】
【請求項１】
放送局から配信される放送データを受信して出力する出力装置の出力画面に出力される情報であって前記放送データに含まれて送信され時間の経過と共に異なる識別情報を取得する識別情報取得手段と、
前記識別情報取得手段が取得した識別情報から前記放送データによって放送される内容に関連する情報である関連情報を抽出する関連情報抽出手段と、
前記関連情報抽出手段が抽出した関連情報を出力する出力手段と、
を有することを特徴とする端末装置。
【請求項２】
前記識別情報には、さらに、放送される内容に関連するより詳細な内容を含むコンテンツを配信するコンテンツ配信装置にアクセスするための参照情報が含まれており、
前記参照情報に基づいて、前記コンテンツ配信装置にアクセスしてコンテンツを受信する受信手段
を有し、
前記出力手段は、さらに、受信したコンテンツを出力する
ことを特徴とする請求項１記載の端末装置。
【請求項３】
放送局から配信される放送データを受信して出力する出力装置の出力画面に出力される情報であって前記放送データに含まれて送信され時間の経過と共に異なる識別情報を取得する識別情報取得手段と、
前記識別情報取得手段が取得した識別情報に基づいて前記コンテンツ配信装置にアクセスし、前記放送データによって放送される内容に関連する関連情報を含むコンテンツを前記コンテンツ配信装置から受信する受信手段と
前記受信手段が受信したコンテンツを出力する出力手段と、
を有することを特徴とする端末装置。
【請求項４】
前記関連情報は、前記放送データによって配信される放送内容に含まれる出演者に関する情報または物品に関する情報の少なくともいずれか一方であることを特徴とする請求項１から請求項３のうちいずれかに記載の端末装置。
【請求項５】
前記受信手段は、前記識別情報が前記出力画面に出力される時刻に応じた時刻と前記識別情報取得手段により取得された前記識別情報との組み合わせに応じたコンテンツを前記コンテンツ配信装置から受信することを特徴とする請求項２から請求項４のうちいずれかに記載の端末装置。
【請求項６】
放送局から配信される放送データを受信して出力する出力装置とコンテンツを配信するコンテンツ配信装置と端末装置とによって構成されるコンテンツ配信システムであって、
前記端末装置は、
前記出力装置の出力画面に出力される情報であって前記放送データに含まれて送信され時間の経過と共に異なる識別情報を取得する識別情報取得手段と、
前記識別情報取得手段が取得した識別情報に基づいて前記コンテンツ配信装置にアクセスし、前記放送データによって放送される内容に関連する関連情報を前記コンテンツ配信装置からコンテンツとして受信する受信手段と
前記受信手段が受信したコンテンツを出力する出力手段とを有し、
前記コンテンツ配信装置は、
前記端末装置から送信される識別情報に対応するコンテンツを前記端末装置に配信する
ことを特徴とするコンテンツ配信システム。
【請求項７】
前記識別情報および前記コンテンツは、放送中に更新されることを特徴とする請求項６記載のコンテンツ配信システム。
【請求項８】
放送局から配信される放送データを受信して出力装置の出力画面に出力される情報であって前記放送データに含まれて送信され時間の経過と共に異なる識別情報を取得し、
取得した識別情報から前記放送データによって放送される内容に関連する情報である関連情報を抽出し、
抽出した関連情報を出力する
ことを特徴とする情報出力方法。
【請求項９】
放送局から配信される放送データを受信して出力する出力装置の出力画面に出力される情報であって前記放送データに含まれて送信され時間の経過と共に異なる識別情報を取得し、
取得した識別情報に基づいて前記コンテンツ配信装置にアクセスし、前記放送データによって放送される内容に関連する関連情報を含むコンテンツを前記コンテンツ配信装置から受信し、
受信したコンテンツを出力する
ことを特徴とする情報出力方法。
【請求項１０】
放送局から配信される放送データを受信して出力する出力装置の出力画面に出力される情報であって前記放送データに含まれて送信され時間の経過と共に異なる識別情報を取得するステップと、
取得した識別情報から前記放送データによって放送される内容に関連する情報である関連情報を抽出するステップと、
抽出した関連情報を出力するステップと
をコンピュータに実行させるための情報出力プログラム。
【請求項１１】
放送局から配信される放送データを受信して出力する出力装置の出力画面に出力される情報であって前記放送データに含まれて送信され時間の経過と共に異なる識別情報を取得するステップと、
取得した識別情報に基づいて前記コンテンツ配信装置にアクセスし、前記放送データによって放送される内容に関連する関連情報を前記コンテンツ配信装置からコンテンツとして受信するステップと、
受信したコンテンツを出力するステップと、
をコンピュータに実行させるための情報出力プログラム。
【発明の詳細な説明】
【技術分野】
【０００１】
本発明は、放送内容に関する情報を端末装置に送信する端末装置、コンテンツ配信システム、情報出力方法、情報出力プログラムに関する。
【背景技術】
【０００２】
従来から、放送局から送信されるテレビ放送波をテレビジョン受信装置（以下、「テレビ」と称す）によって受信し、出力画面およびスピーカにて放送内容となる映像や音声を出力している。視聴者は、自分が見たい番組をチャンネルを選択して視聴し、放送を楽しむことができる。
ところで、近年、携帯電話などの携帯端末がテレビのリモコンとして利用されつつある。すなわち、携帯端末に、テレビのリモコン機能を実現するためのアプリケーションソフト（以下、単に「アプリケーション」と称す）を予め記憶しておく、もしくはサーバからダウンロードして記憶しておき、このアプリケーションを読み出して実行することにより、携帯端末によってテレビのリモコン機能を実現することができる。
【０００３】
上述したテレビによる放送を視聴者に対し、より楽しんでもらうために、通常の放送内容にさらに何らかの情報を提供しようとすると、提供方法として、上述の携帯端末を利用することが望ましい。
【０００４】
携帯端末をテレビの視聴に利用するシステムは、下記の先行技術文献１に記載されている。このシステムによれば、携帯端末にてテレビの放送内容そのものを閲覧することができる。
【特許文献１】特開２００１−２１８２７３号公報
【発明の開示】
【発明が解決しようとする課題】
【０００５】
しかしながら、特許文献１に示す技術においては、携帯端末そのものでテレビを視聴するものであるので、通常のテレビ放送をテレビではなく単に端末装置で閲覧しただけであり、新たな情報が付加されているわけではない。さらに、視聴者としては、テレビ放送は、見やすさ、臨場感の面から、テレビなどの大きな画面で視聴したいという要望があるので、テレビ放送波をテレビで受信して出力する必要がある。また、テレビ放送をテレビで閲覧し、付加的な情報を携帯端末に配信する場合、順次換わる番組や番組内のシーン、コマーシャルのうち、ユーザが興味がある場面に関連する情報を配信することが、視聴しているテレビ放送をより楽しむことができると考えられる。
【０００６】
本発明は、このような事情に鑑みてなされたもので、その目的は、テレビの放送をテレビで視聴しつつ、その場面に応じた情報を受信することができる端末装置、コンテンツ配信システム、情報出力方法、情報出力プログラムを提供することにある。
【課題を解決するための手段】
【０００７】
本発明において、本発明の一実施形態は、放送局から配信される放送データを受信して出力する出力装置の出力画面に出力される情報であって前記放送データに含まれて送信され時間の経過と共に異なる識別情報を取得する識別情報取得手段と、前記識別情報取得手段が取得した識別情報から前記放送データによって放送される内容に関連する情報である関連情報を抽出する関連情報抽出手段と、前記関連情報抽出手段が抽出した関連情報を出力する出力手段と、を有することを特徴とする。
【０００８】
上記発明の一実施形態において、前記識別情報には、さらに、放送される内容に関連するより詳細な内容を含むコンテンツを配信するコンテンツ配信装置にアクセスするための参照情報が含まれており、前記参照情報に基づいて、前記コンテンツ配信装置にアクセスしてコンテンツを受信する受信手段を有し、前記出力手段は、さらに、受信したコンテンツを出力するようにしてもよい。
【０００９】
本発明において、本発明の一実施形態は、放送局から配信される放送データを受信して出力する出力装置の出力画面に出力される情報であって前記放送データに含まれて送信され時間の経過と共に異なる識別情報を取得する識別情報取得手段と、前記識別情報取得手段が取得した識別情報に基づいて前記コンテンツ配信装置にアクセスし、前記放送データによって放送される内容に関連する関連情報を含むコンテンツを前記コンテンツ配信装置から受信する受信手段と前記受信手段が受信したコンテンツを出力する出力手段と、を有することを特徴とする。
【００１０】
上記発明の一実施形態において、前記関連情報は、前記放送データによって配信される放送内容に含まれる出演者に関する情報または物品に関する情報の少なくともいずれか一方であるようにしてもよい。
【００１１】
上記発明の一実施形態において、前記受信手段は、前記識別情報が前記出力画面に出力される時刻に応じた時刻と前記識別情報取得手段により取得された前記識別情報との組み合わせに応じたコンテンツを前記コンテンツ配信装置から受信するようにしてもよい。
【００１２】
本発明において、本発明の一実施形態は、放送局から配信される放送データを受信して出力する出力装置とコンテンツを配信するコンテンツ配信装置と端末装置とによって構成されるコンテンツ配信システムであって、前記端末装置は、前記出力装置の出力画面に出力される情報であって前記放送データに含まれて送信され時間の経過と共に異なる識別情報を取得する識別情報取得手段と、前記識別情報取得手段が取得した識別情報に基づいて前記コンテンツ配信装置にアクセスし、前記放送データによって放送される内容に関連する関連情報を前記コンテンツ配信装置からコンテンツとして受信する受信手段と前記受信手段が受信したコンテンツを出力する出力手段とを有し、前記コンテンツ配信装置は、前記端末装置から送信される識別情報に対応するコンテンツを前記端末装置に配信することを特徴とする。
【００１３】
上記発明の一実施形態において、前記識別情報および前記コンテンツは、放送中に更新されるようにしてもよい。
【００１４】
本発明において、本発明の一実施形態は、放送局から配信される放送データを受信して出力装置の出力画面に出力される情報であって前記放送データに含まれて送信され時間の経過と共に異なる識別情報を取得し、取得した識別情報から前記放送データによって放送される内容に関連する情報である関連情報を抽出し、抽出した関連情報を出力することを特徴とする。
【００１５】
本発明において、本発明の一実施形態は、放送局から配信される放送データを受信して出力する出力装置の出力画面に出力される情報であって前記放送データに含まれて送信され時間の経過と共に異なる識別情報を取得し、取得した識別情報に基づいて前記コンテンツ配信装置にアクセスし、前記放送データによって放送される内容に関連する関連情報を含むコンテンツを前記コンテンツ配信装置から受信し、受信したコンテンツを出力することを特徴とする。
【００１６】
本発明において、本発明の一実施形態は、放送局から配信される放送データを受信して出力する出力装置の出力画面に出力される情報であって前記放送データに含まれて送信され時間の経過と共に異なる識別情報を取得するステップと、取得した識別情報から前記放送データによって放送される内容に関連する情報である関連情報を抽出するステップと、抽出した関連情報を出力するステップとをコンピュータに実行させることを特徴とする。
【００１７】
本発明において、本発明の一実施形態は、放送局から配信される放送データを受信して出力する出力装置の出力画面に出力される情報であって前記放送データに含まれて送信され時間の経過と共に異なる識別情報を取得するステップと、取得した識別情報に基づいて前記コンテンツ配信装置にアクセスし、前記放送データによって放送される内容に関連する関連情報を前記コンテンツ配信装置からコンテンツとして受信するステップと、受信したコンテンツを出力するステップと、をコンピュータに実行させることを特徴とする。
【発明の効果】
【００１８】
以上説明したように、この発明によれば、出力装置の出力画面に出力される情報であって前記放送データに含まれて送信され時間の経過と共に異なる識別情報を取得し、取得した識別情報から放送データによって放送される内容に関連する情報である関連情報を抽出して出力するようにしたので、放送データを出力装置の出力画面で視聴しつつ、その放送の場面に応じた付加的な情報が必要である場合に、必要に応じて識別情報を取得することにより、番組の内容に関連する情報を取得することができ、これにより、視聴者に対し、通常の放送にさらに様々な情報も提供することができ、娯楽性を向上させることが可能となる。また、識別情報は、時間の経過と共に順次更新されるが、その場面が出力装置の出力画面上に表示されていた時点の識別情報を取得することによって、その場面と連動した情報を同期的に得ることができ、番組やコマーシャルの内容とより密接な関係の情報を提供することができる。
【発明を実施するための最良の形態】
【００１９】
以下、本発明の一実施形態によるコンテンツ配信システムを図面を参照して説明する。図１は、この発明の一実施形態によるコンテンツ配信システムの構成を示す概略ブロック図である。
この図において、コンテンツ配信システムは、放送局１から配信される放送データを受信して出力する出力装置の一例としてのテレビ２と、コンテンツを配信するコンテンツ配信装置の一例としてのコンテンツサーバ３と、端末装置の一例としての携帯電話４と、携帯電話４において実行させるアプリケーションを配信するアプリケーションサーバ５によって構成される。
【００２０】
放送局１は、デジタル放送を行うための放送設備を有しており、この放送設備を利用して有線または無線にて放送データが送信され、放送が行われる。ここで、放送データには、テレビ放送を行う内容の他に、放送内容とともにテレビ２の出力画面２１の一部に出力させるための識別情報６が含まれ送信される。
【００２１】
テレビ２は、放送局１から送信される放送データを受信し、受信した放送データを出力画面２１に出力する。この場合、出力画面２１には、番組やコマーシャルが出力されるとともに、識別情報６が出力される。
【００２２】
ここで、識別情報６は、たとえば、バーコードや２次元コード（例えば、ＱＲコード（登録商標））、英数字等の文字列で表現され、テレビ２の出力画面２１に出力される情報であって、番組毎、コマーシャル毎、あるいは、番組内の場面やシーン、コーナー毎に異なる、すなわち、時間の経過とともに異なる情報に順次切り替わる情報である。
【００２３】
コンテンツサーバ３は、コンテンツを記憶するコンテンツ記憶部３１を有しており、携帯電話４から送信される識別情報６に対応するコンテンツをコンテンツ記憶部３１から読み出して携帯電話４に配信する。ここでは、コンテンツサーバ３は、識別情報が出力画面に出力された時刻に応じた時刻と識別情報との組み合わせに応じたコンテンツを携帯電話４に送信する機能を有している。具体的には、コンテンツサーバ３は、現在時刻を計時する時計機能を有しているとともに、携帯電話４からコンテンツの送信要求がなされた時点における時刻を時計機能から取得し、取得した時刻の情報と識別情報との組み合わせに応じたコンテンツをコンテンツ記憶部３１から読み出す機能を有する。ここでは、携帯電話４からコンテンツの送信要求がなされた時点における時刻をコンテンツサーバ３の計時機能から取得されるが、この取得された時刻が、出力画面に出力された時刻に応じた情報として利用される。
【００２４】
ここで、図２にコンテンツ記憶部３１に記憶される情報の一例を示す。図２に示すように、コンテンツ記憶部３１には、識別情報と時刻情報とコンテンツが対応付けされて記憶される。ここで、時刻情報は、識別情報を取得した時点における時刻の範囲を示す情報である。コンテンツは、放送データによる放送内容に関連する関連情報であり、関連情報は、放送データによって配信される放送内容に含まれる出演者に関する情報または物品に関する情報の少なくともいずれか一方または両方である。具体的には、番組に出演している出演者の出演スケジュールや、出演者が身につけている洋服や靴、バッグなどのアイテムや、放送内で紹介されたアイテムの価格、販売元、型番、素材などに関する情報である。このスケジュールやアイテムについてのコンテンツは、データリスト７として表示される。
【００２５】
携帯電話４は、識別情報取得部４１と、アプリケーション実行部４２と、出力部４３とによって構成される。
識別情報取得部４１は、テレビ２の出力画面２１に出力される識別情報６を取得する機能を有し、例えばカメラまたはバーコードリーダが適用される。ここでは、識別情報取得部４１が取得した識別情報は、カメラの場合には画像データとして、また、バーコードリーダの場合にはバーコード情報としてアプリケーション実行部４２に出力される。
また、アプリケーション実行部４２は、識別情報取得部４１が取得した識別情報に基づいて、コンテンツサーバ４にアクセスし、放送データによって放送される内容に関連する関連情報が含むコンテンツを受信する。この機能を実現するアプリケーション実行部４２が上述の受信部に相当する。
また、アプリケーション実行部４２は、識別情報取得部４１が取得した識別情報に関連情報が含まれている場合には、この識別情報に基づいて、関連情報を抽出する機能を有する。この機能を実現するアプリケーション実行部４２が上述の関連情報抽出部に相当する。  ここでは、アプリケーション実行部４２は、識別情報取得部４１から出力された識別情報の画像データに基づいて、識別情報を文字列のコードに変換した後の識別情報を用いてコンテンツサーバ３にアクセスする。
【００２６】
上記識別情報取得部４１による識別情報６を取得するより具体的な例を以下に示す。
まず、携帯電話４に内蔵されているＣＣＤ（Ｃｈａｒｇｅ  Ｃｏｕｐｌｅｄ  Ｄｅｖｉｃｅ）カメラによって周囲を撮影可能な状態にする。これにより、ＣＣＤカメラによって周囲の状況が画像として取り込まれ、携帯電話４の画面には周囲の画像が表示される。ここで、ユーザが携帯電話４の位置等を調整することにより、テレビ２の出力画面２１に表示されている識別情報６の全体が携帯電話４の画面に表示されるようにする。すなわち、携帯電話４のＣＣＤカメラにより識別情報６の全体が取得（撮影）できるようにする。そして、ユーザによる携帯電話４の所定のボタンに対する撮影指示があった場合に、識別情報取得部４１がＣＣＤカメラによって取り込まれている識別情報６を取得する。また、識別情報６としてバーコードがテレビ２の出力画面に表示されているときは、携帯電話４に内蔵されているバーコードリーダを利用してバーコードを読み取ることで識別情報取得部４１が識別情報６を取得する。なお、上記例では、識別情報６の全体を取り込むようにしていたが、識別情報６によっては、一部分から識別情報６に含まれている情報を復元できるものがあり、このような識別情報６においては、必ずしも全体を取得する必要はない。
【００２７】
このアプリケーション実行部４２は、後述するアプリケーションサーバからアプリケーションをダウンロードして所定のメモリ領域に記憶しておき、このアプリケーションを読み出して実行することにより、上述の各機能を実現する。
【００２８】
出力部４３は、アプリケーション実行部４２が受信したコンテンツを出力する機能を有し、例えば、液晶表示装置などの表示装置や、音声を出力する音声出力装置（スピーカ）等である。
【００２９】
アプリケーションサーバ５は、アプリケーションを記憶するアプリケーション記憶部５２と、アプリケーション記憶部５２に記憶されたアプリケーションを読み出して携帯電話４に配信するアプリケーション配信部５１とによって構成される。
【００３０】
ここで、識別情報６とコンテンツは、放送局の作業者またはコンテンツサーバ４の作業者によって、番組を放送する前あるいは放送中に作成される。放送中に作成される場合は、作成された識別情報６やコンテンツが放送中に更新され、更新された後の識別情報６が放送局１に送信され、放送データに含まれて送信されたり、更新された後のコンテンツが携帯電話４に配信される。これにより、生放送などのリアルタイム性がある番組の放送中にその場面に応じた情報を提供することができる。
【００３１】
なお、図１におけるコンテンツ記憶部３１、アプリケーション記憶部５２は、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるもとのする。
【００３２】
また、このアプリケーション実行部４２、アプリケーション配信部５１は、専用のハードウェアにより実現されるものであってもよく、また、メモリおよびＣＰＵ（中央演算装置）により構成され、アプリケーション実行部４２、アプリケーション配信部５１の機能を実現するためのプログラムをメモリにロードして実行することによりその機能を実現させるものであってもよい。
【００３３】
次に、上述した実施形態におけるコンテンツ配信システムの動作について図３のシーケンス図を用いて説明する。
まず、携帯電話４は、アプリケーションサーバ５にアプリケーションの配信要求を送信する（ステップＳ１）。
アプリケーションサーバ５のアプリケーション配信部５１は、携帯電話４から送信されたアプリケーション配信要求に基づいて、アプリケーション記憶部５２に記憶されたアプリケーションを読み出して携帯電話４に配信する（ステップＳ３）。
【００３４】
携帯電話４のアプリケーション実行部４２は、アプリケーションサーバ５のアプリケーション配信部５１から送信されたアプリケーションを受信して所定のメモリ内に記憶しておき、操作ボタンなどの入力装置を介して入力されるユーザからの実行指示に基づいて、メモリ内に記憶したアプリケーションを読み出して実行する（ステップＳ５）。そして、ユーザによって読み取りボタンが押下され、テレビ２の出力画面２１に表示された識別情報６が識別情報取得部４１によって読み取られると（撮影されると）、アプリケーション実行部４２は、識別情報取得部４１によって読み取られた識別情報を送信するとともに、コンテンツサーバ３にコンテンツ配信の要求を行う（ステップＳ７）。
【００３５】
コンテンツサーバ３は、携帯電話４からコンテンツの送信要求を受信すると、受信した時点における時刻を時計機能から取得し、取得した時刻の情報と携帯電話４から受信した識別情報との組み合わせに応じたコンテンツをコンテンツ記憶部３１から読み出す。そして、読み出したコンテンツをデータリスト７として携帯電話４に配信する（ステップＳ８）。
携帯電話４のアプリケーション実行部４２は、コンテンツサーバ３から受信したデータリスト７を出力部４３に出力する（ステップＳ１０）。
【００３６】
例えば、「ＡＢ０００１」であって、コンテンツの送信要求を行った時点の時刻が「１９時０５分４０秒」である場合、図２に示すように、「コンテンツ１」が読み出され、携帯電話４に送信される。そして、コンテンツ１がデータリスト７として携帯電話４の画面上に表示される。なお、コンテンツに音声の情報が含まれている場合は、携帯電話４のスピーカから音楽や声などの音声が出力される。
【００３７】
以上説明した実施形態によれば、時刻に応じたコンテンツを配信することができるので、同じ識別情報を取得した携帯電話４に対し、その取得時刻に応じたコンテンツを配信することができ、識別情報を取得した時刻に応じたサービスを提供することができる。また、コンテンツを配信可能な時刻情報の範囲を放送時間に限定しておくことによって、番組をリアルタイムで視聴していたユーザに対してコンテンツを配信することができ、これにより、識別情報が出力画面２１に出力されていた映像を録画しておき、放送後に再生して識別情報を取得したユーザとリアルタイムに視聴したユーザとを差別化を図って、サービスを提供することが可能となる。
【００３８】
なお、上述した実施形態においては、識別情報を用いて関連情報をコンテンツサーバ３から配信する場合について説明したが、識別情報そのものに関連情報を含めておくようにしてもよい。これにより、アプリケーション実行部４２によって、識別情報取得部４１が取得した識別情報から関連情報を抽出し、出力部４３に出力することができ、簡単な構成で放送内容に連動したコンテンツを配信することができる。
【００３９】
また、識別情報には、関連情報にさらにコンテンツサーバ３にアクセスするための参照情報（例えば、ＵＲＬ（Uniform Resource Locator））を付加して含めておくようにしてもよい。これにより、関連情報を閲覧したユーザがさらに関連情報が必要である場合、参照情報を利用（例えば、ＵＲＬをクリック）してコンテンツサーバ３にアクセスし、コンテンツサーバ３に記憶されている関連情報を追加の情報として取得することができ、コンテンツサーバ３との通信回数を削減することができる。ここでは、参照情報によりアクセス可能なコンテンツは、放送される内容に関連するより詳細な内容を含むコンテンツを用いることが可能である。
【００４０】
なお、上述した実施形態において、時刻情報を用いて、コンテンツを配信しても良い視聴者であるか否かの認証を行うようにしてもよい。すなわち、アプリケーション配信部５１からアプリケーションを配信した場合に、配信先の視聴者の識別情報とアプリケーションの有効期限情報を所定のデータベースに記憶しておき、携帯電話４から識別情報６を用いてコンテンツの配信要求があった場合に、その要求された時点の時刻と、有効期限情報とを照合して、有効期限内であればコンテンツの配信を許可し、有効期限内ではない場合に、コンテンツの配信を拒否する。これにより、コンテンツ配信のサービスを有料として提供することも可能となる。
【００４１】
なお、上述した実施形態において、識別情報と識別情報を取得した時刻を示す時刻情報との組み合わせに応じたコンテンツをコンテンツ配信装置から携帯電話４に配信する一例として、コンテンツサーバ３に計時機能を設けておき、携帯電話４からコンテンツの送信要求を受信した時点の現在時刻を計時機能から取得するようにした。しかし、携帯電話４内に計時機能を設けておき、携帯電話４がコンテンツサーバ３にコンテンツ配信要求をする際、この計時機能で計時された現在時刻の情報を取得し、取得した現在時刻の情報をコンテンツサーバ３に送信するとともに、コンテンツ配信要求をするようにしてもよい。この場合、携帯電話４の計時機能で計時された現在時刻の情報が、出力画面２１に出力された時刻に応じた情報として利用される。ただし、一般に携帯電話４が複数ある場合、個々の携帯電話４の計時機能が示す現在時刻が全て一致しているとは限らないので、コンテンツサーバ３において計時機能を設けておくことが、各携帯電話４の時刻を一括して管理できる点において有効である。
【００４２】
また、上述した実施形態において、識別情報中に当該識別情報が出力される時刻の情報を埋め込んでおき、その時刻情報に基づいて、コンテンツサーバ３からその時刻情報に応じたコンテンツを携帯電話４に送信するようにしてもよい。ここで、識別情報に埋め込む時刻の情報が、上述した出力画面に出力される時刻に応じた時刻として利用される。
【００４３】
また、図１における識別情報取得部４１、アプリケーション実行部４２の機能を実現するためのプログラムをコンピュータ読み取り可能な記録媒体に記録して、この記録媒体に記録されたプログラムをコンピュータシステムに読み込ませ、実行することによりコンテンツの出力処理を行ってもよい。なお、ここでいう「コンピュータシステム」とは、ＯＳや周辺機器等のハードウェアを含むものとする。
【００４４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４５】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００４６】
【図１】この発明の一実施形態によるコンテンツ配信システムの構成を示す概略ブロック図である。
【図２】コンテンツ記憶部３１に記憶される情報の一例を示す図面である。
【図３】コンテンツ配信システムの動作について説明するためのシーケンス図である。
【符号の説明】
【００４７】
２  テレビ                            ３  コンテンツサーバ
３１  コンテンツ記憶部                ４  携帯電話
４１  識別情報取得部                  ４２  アプリケーション実行部
４３  出力部                          ５  アプリケーションサーバ
５１  アプリケーション配信部          ５２  アプリケーション記憶部
６  識別情報                          ７  データリスト
【図１】
2006005897.tif 000003
【図２】
2006005897.tif 000004
【図３】
2006005897.tif 000005